(57)【要約】【課題】  雑菌を含む温室内の空気を効率的に光触媒に接触させることができないうえ、外部から進入する害虫を防止できないこと。温室に用いると太陽光を遮断してしまうこと。【解決手段】  光触媒ネット５を温室１００の入口４及び天窓１に設置し、天井３８付近に所定間隔をもって光触媒ネット５を略水平に設置する。好ましくは、送風機７を天井３８付近に設置する。入口４及び天窓１の光触媒ネット５は温室１００の外部から害虫が侵入するのを防止する。温室１００内を循環する空気が天井３８付近の光触媒ネット５を通過することで、温室１００内に浮遊する雑菌が殺菌される。また、ネットを用いているので、太陽光が遮断されることはない。【選択図】図１
2011254784.tif 000002
【特許請求の範囲】
【請求項１】
光触媒を無機バインダを介してネットの表面に付着させたことを特徴とする光触媒ネット。
【請求項２】
前記ネットの目合いが１ｍｍ以上であることを特徴とする請求項１に記載の光触媒ネット。
【請求項３】
ネットの表面への光触媒の付着量が裏面より多いことを特徴とする請求項１又は２に記載に光触媒ネット。
【請求項４】
ネットを一方向に搬送すると共にローラで反転させて逆方向に略平行に搬送し、更にローラで反転させて再び一方向に略平行に搬送し、噴射装置から光触媒の微粒粉末を含む液状の無機バインダを上方から噴霧することを特徴とする光触媒ネットの製造方法。
【請求項５】
更に、光触媒ネットを噴霧したネットに対して送風して乾燥させることを特徴とする請求項４に記載の光触媒ネットの製造方法。
【発明の詳細な説明】
【技術分野】
【０００１】
本発明は、光触媒ネットにより害虫の侵入等を防止すると共に温室内の雑菌を殺す光触媒ネット及びその製造方法に関するものである。
【背景技術】
【０００２】
従来から温室内に侵入して農作物に被害を与える害虫や、農作物の病気等の原因となる雑菌の被害が問題となっている。このような害虫や雑菌に対する対応策として、特許文献１に記載されているような技術が知られている。
【０００３】
この特許文献１に係る発明は、不織布の生地に光触媒である二酸化チタンを被覆し、この不織布を温室内に置いたり又は吊るすことにより病原菌を除去し、農薬の使用量を減少させるものである。
【先行技術文献】
【特許文献】
【０００４】
【特許文献１】特開２００５−１３７３５１号公報
【発明の概要】
【発明が解決しようとする課題】
【０００５】
しかしながら、上記特許文献１に記載の温室では、不織布に二酸化チタンを被覆しているため、雑菌を含む温室内の空気を効率的に光触媒に接触させることができないうえ、外部から進入する害虫を防止できないという問題点があった。また、温室に用いると太陽光を遮断してしまうという問題点があった。この発明は、係る問題点を解決するためになされたものである。
【課題を解決するための手段】
【０００６】
そこで、本発明の光触媒ネットは、光触媒を無機バインダを介してネットの表面に付着させたことを特徴とする。
【０００７】
また、本発明の光触媒ネットは、上記発明において、前記ネットの目合いが１ｍｍ以上であることを特徴とする。
【０００８】
また、本発明の光触媒ネットは、上記発明において、ネットの表面への光触媒の付着量が裏面より多いことを特徴とする
【０００９】
また、本発明の光触媒ネットの製造方法は、ネットを一方向に搬送すると共にローラで反転させて逆方向に略平行に搬送し、更にローラで反転させて再び一方向に略平行に搬送し、噴射装置から光触媒の微粒粉末を含む液状の無機バインダを上方から噴霧することを特徴とする。
【００１０】
また、本発明の光触媒ネットの製造方法は、上記発明において、更に、光触媒ネットを噴霧したネットに対して送風して乾燥させることを特徴とする。
【００１１】
上記光触媒ネットは、温室、トンネル等に好適である。
【図面の簡単な説明】
【００１２】
【図１】この発明の実施の形態に係る温室を示す斜視図である。
【図２】図１に示した温室の正面図である。
【図３】図１に示した温室の平面図である。
【図４】図１に示した温室の平面図である。
【図５】光触媒ネット５の製造工程を示す説明図である。
【図６】この温室の機能を示す説明図である。
【図７】この温室の機能を示す説明図である。
【発明を実施するための形態】
【００１３】
図１は、この発明の実施の形態に係る温室を示す斜視図である。図２は、図１に示した温室の正面図、図３は及び図４は平面図である。この温室１００は、鉄骨製の骨組みに透明のビニールシートまたはガラスを張った構造である。具体的には、図１及び図２に示すように、地面に埋設した基礎３１に対して複数の柱３２を立て、この柱３２の間に切妻形状の屋根を構成する梁３３を渡し、前記柱３２と柱３２の間には内部補強材３４が地面に水平に設けられると共に、前記梁３３と梁３３との間には陸梁３５が設けられた構造である。また、陸梁３５の中央にはカーテンワイヤー３６を吊り下げる吊りワイヤー３７が設けられ、柱３２と柱３２との間に渡されたカーテンワイヤー３６を中央で吊りあげている。
【００１４】
天井３８には、開閉式の天窓１が設けられている。天窓１と開口２との間には防虫ネット３が設けられている。この防虫ネット３は後述する光触媒ネット５により構成する。また、温室１００の正面には入口４が設けられ、この入口４は所定の目合いの光触媒ネット５で構成される。
【００１５】
温室１００の内部補強材３４には複数の光触媒ネット５が略水平に配置されている。この光触媒ネット５は枠体６に張られており、当該枠体６が内部補強材３４に固定される。換言すれば、光触媒ネット５は天井３８から離して温室１００内の上部に設けられる。なお、この光触媒ネット５は、必ずしも天井３８の水平面積の全てに設ける必要はない。例えば、天井３８の面積の半分程度でも良い。このように、光触媒ネット５を温室１００の上部に配置することで、温室１００内の空気が循環する際に光触媒ネット５を通過することになり、温室１００内の雑菌を効率的に殺すことができる。また、温室１００内のカーテンを閉じたときにも光触媒ネット５がそのカーテンの下に位置するようにするため、光触媒ネット５はカーテンワイヤー３６の下に配置するのが望ましい。この実施の形態では、図４に示すように、４枚の光触媒ネット５を内部補強材３４に対して所定間隔をあけて設置している。
【００１６】
温室１００内には、内部の空気を循環させる送風機７を設置する。送風機７は、円筒本体の内部に回転羽根を備えた構造であり（図示省略）、内部補強材３４から吊り下げて設置する。また、当該送風機７は光触媒ネット５の下側に位置するようにする。更に、当該送風機７はその送風方向が地面に対して略水平かつ温室の略長手方向となるようにし、好ましくは、送風方向が若干上向きになるようにする。風が光触媒ネット５に当たりやすくするためである。また、若干左右方向に向けて設置することも可能である。この実施の形態では、前記送風機７は、図４に示すように、光触媒ネット５と光触媒ネット５との間に２個ずつ設置される。
【００１７】
次に、温室１００内の端には、エア供給機８が設けられる。このエア供給機８には、図３に示すように、親ダクト９が設けられ、この親ダクト９は温室１００の壁面の下部に沿って長手方向に配置される。また、この親ダクト９には櫛歯状に小ダクト１０が設けられている。小ダクト１０は、軟質材料からなり、適宜作物の下又は間に配置される。親ダクト９及び小ダクト１０は単純連結して延長可能である。小ダクト１０の表面には複数のエア噴出口１１が設けられている。エア供給機８から供給されたエアが親ダクト９を通って各小ダクト１０に供給され、そのエア噴出口１１からエアを噴出する。これにより、作物の葉の下の雑菌を飛ばすことができる。
【００１８】
前記入口４及び天窓１の光触媒ネット５の目合いは、害虫の侵入を防止すること、風通しが良いこと、太陽光が十分に透過することの条件を満たすものとするのが望ましい。光触媒は虫を忌避する効果があるところ、害虫が外部から侵入する際にはネットに一時的にとまってから目の間から侵入するため、ネットに光触媒が塗布されていれば害虫が光触媒を嫌い、光触媒ネット５にとまって内部に侵入することなく、当該光触媒ネット５から離れる。このため、害虫がそのまま光触媒ネット５に接触することなく通過して内部に侵入する目合いよりも小さい目合いとすれば、害虫の侵入防止性、風通し性、太陽光透過性を全て満たすことができる。具体的には、光触媒ネット５の目合いを０．５ｍｍ以上１０ｍｍ以下、好ましくは１ｍｍ以上５ｍｍ以下とするのが良い。なお、０．５ｍｍ未満の目合いの光触媒ネット５を用いても一定の効果がある。
【００１９】
光触媒ネット５に害虫がとまることを忌避できることで、光触媒ネット５に産卵することを防止でき、仮に害虫の死骸が付着しても光触媒の作用により分解されて消滅するのでネットが汚れることがない。
【００２０】
光触媒ネット５は、有機繊維からなるネットの表面に無機バインダを介して光触媒をコーティングした構造である。無機バインダを用いるのは、有機繊維に直接光触媒を塗布すると有機繊維が分解されてしまうためである。光触媒には、二酸化チタンを用いるが、これに限定されない。また、この温室１００に用いる光触媒ネット５は、金属製のネットに対して光触媒をコーティングしたものでも良い。この場合、無機バインダは不要であり、光触媒を金属製のネットに直接コーティングするだけで良い。
【００２１】
図５は、光触媒ネット５の製造工程を示す説明図である。この光触媒ネット５の製造装置５０は、有機繊維からなるネット５９を搬送する一対の第一ローラ５１と、第一ローラ５１と所定間隔で配置された第二ローラ５２と、第二ローラ５２と所定間隔で配置された第三ローラ５３と、第三ローラ５３と所定間隔で配置された一対の第四ローラ５４と、光触媒を混合した液状の無機バインダ５６を噴射する噴射装置５５と、乾燥機６０とからなる。
【００２２】
第一ローラ５１から搬出されたネット５９は一方向に搬送され、第二ローラ５２で反転して逆方向に略平行に搬送されると共に第三ローラ５３で再び反転して一方向に略平行に搬送され、第四ローラ５４に引かれて搬出される。噴射装置５５から光触媒の微粒粉末を含む液状の無機バインダ５６を上方から噴霧すると、第一ローラ５１と第二ローラ５２との間でネット５９の表面５９ａに光触媒がコーティングされる。
【００２３】
次に、ネット５９は第二ローラ５２で反転するのでその裏面５９ｂに上側のネット５９を通過した光触媒を含む液状の無機バインダ５９がコーティングされる。続いて、ネットは第三ローラ５３で再び反転するのでその表面５９ａに上側のネット５９を通過した光触媒を含む液状の無機バインダ５６が再度コーティングされる。以上のように、光触媒を含む液状の無機バインダ５６を噴霧することで、表面５９ａには略２回分のコーティングがなされ、裏面５９ｂには１回のコーティングがされる。そして、ネット５９は第５ローラ６１により搬送され、その間で乾燥機６０の比較的強い冷風により乾燥される。この送風により表面張力でネットの目に詰まった無機バインダ５９が飛ばされるので、ネットの目詰まりがなくなる。乾燥後のネット５９は巻取りローラ６２により巻き取られる。
【００２４】
害虫が嫌う光触媒ネット５を製造するにはコーティングする光触媒の量を増やす必要があるが、ネット５９の両面とも光触媒の量を増やすのは効率的ではない。このため上記のようにＳ字状にネット５９を送り、上方からの噴霧により一面（表面５９ａ）に他面（裏面５９ｂ）多くの光触媒をコーティングできるようにする。そして、光触媒を多くコーティングした表面を上記窓や入口４の外側に向けて取り付ける。このようにすれば、外部から侵入する害虫に対して高い防虫効果を発揮できる。なお、光触媒ネット５の表面５９ａと裏面５９ｂとを判別しやすいように、光触媒ネット５に予め印をつけておくと良い。
【００２５】
図６は、この温室の機能を示す説明図である。温室１００に必要なのは防虫と殺菌である。入口４及び天窓１の光触媒ネット５は温室１００の外部から害虫が侵入するのを防止する。また、一般的な温室のネットには害虫が産卵することがあるが、この温室１００では光触媒がコーティングされた光触媒ネット５を用いているので、害虫が光触媒を嫌い、害虫による産卵を防止できる。また、害虫は天井３８付近の暖かい場所に集まるところ、天井３８の下に光触媒ネット５を設置しておけば、天井３８付近で死んだ害虫が天井３８側の光触媒ネット５上に落ち光触媒の作用により分解消滅する。
【００２６】
また、光触媒の作用により温室１００内に浮遊する雑菌を殺すことができる。温室１００内には外部から空気と共に雑菌が入るが、まず入口４及び天窓１に設けた光触媒ネット５により外部から侵入する雑菌を殺す。また、温室１００の天窓１を開けることで温室１００内の空気が循環するので、そのとき内部の空気が天井３８付近の光触媒ネット５を通過する。
【００２７】
また、温室１００を閉め切って送風機７により温室内の空気を攪拌する場合、図７に示すように、送風機７の風が温室上部の長手方向の一方向に送られ、端部でぶつかって折り返され、温室下部の長手方向の反対方向に送られ、その結果、温室１００内を循環する。そして、送風機７の風は光触媒ネット５に沿って流れるので、温室１００内を循環する空気が必ず光触媒ネット５に当たるようになる。よって、温室１００内に浮遊する雑菌が光触媒ネット５により殺菌される。また、空気が温室１００内を循環する際、雑菌が入口４や天窓１の光触媒ネット５に触れて殺菌される。
【００２８】
また、作物の葉の下等に浮遊する雑菌は、図６に示すように、小ダクト１０のエア噴出口１１から噴出するエアにより滞留空気と共に上方に飛ばされる。上方に飛ばされた空気は、図７に示すように、送風機７による循環空気に合流し、光触媒ネット５により殺菌される。
【００２９】
以上、この温室１００によれば、光触媒をコーティングした光触媒ネット５により防害虫及び殺菌を行うことができるので、温室１００内で用いる農薬を大幅に減らすことができる。特に、光触媒ネット５を入口４や天窓１に設ける場合、殺菌作用のみならず防虫作用も兼用できる。また、不織布ではなくネットを用いることで太陽光の遮断を防止できるので、温室に好適である。更に、作物の周りに浮遊する雑菌も殺すことができる。
【００３０】
上記光触媒ネット５には、無機バインダに黄色、反射色、赤色、緑色又は紫色などの顔料を混ぜてもよい。この顔料の選定は、忌避したい虫が見ることができない色とするのが良い。特に、赤系の顔料が虫には暗く見えるので好ましい。また、ネットの有機繊維自体に所定の色の繊維を織り込んでも良い。
【符号の説明】
【００３１】
１００  温室
５  光触媒ネット
３８  天井
１  天窓
７  送風機
【図３】
2011254784.tif 000003
【図４】
2011254784.tif 000004
【図６】
2011254784.tif 000005
【図１】
2011254784.tif 000006
【図２】
2011254784.tif 000007
【図５】
2011254784.tif 000008
【図７】
2011254784.tif 000009